(57)【要約】【課題】手動ポンプやバケツを用いることなく、容易に水の入れ替えを行うことができる魚飼育用水槽を提供する。【解決手段】水槽本体１と、水槽本体１内の水Ｗを外部へ流出させるための排水パイプ２と、水槽本体１の下部に配設されるとともに下側に不純物Ｘが沈殿する不純物収納底空間部Ａを形成する不純物透過平面状部材３とを、備える。排水パイプ２が、下端４が不純物収納底空間部Ａに開口する流入部５と、水槽本体１の外部に配設された注ぎ口部６と、水槽本体１の側壁７を突抜状であって流入部５と注ぎ口部６を連結する中間部８と、を有する。かつ、中間部８の最高位置に空気抜き孔９を形成した。【選択図】図１
0003161936.tif 000002
【実用新案登録請求の範囲】
【請求項１】
水槽本体（１）と、該水槽本体（１）内の水（Ｗ）を外部へ流出させるための排水パイプ（２）とを、備え、
上記排水パイプ（２）が、上記水槽本体（１）の下部に不純物（Ｘ）が沈殿するように区画形成された不純物収納底空間部（Ａ）に下端（４）が開口する流入部（５）と、上記水槽本体（１）の外部に配設された注ぎ口部（６）と、上記水槽本体（１）の側壁（７）を突抜状であって上記流入部（５）と上記注ぎ口部（６）を連結する中間部（８）と、を有し、
かつ、上記中間部（８）の最高位置に空気抜き孔（９）を形成したことを特徴とする魚飼育用水槽。
【請求項２】
水槽本体（１）と、該水槽本体（１）内の水（Ｗ）を外部へ流出させるための排水パイプ（２）と、上記水槽本体（１）の下部に配設されるとともに下側に不純物（Ｘ）が沈殿する不純物収納底空間部（Ａ）を形成する不純物透過平面状部材（３）とを、備え、
上記排水パイプ（２）が、下端（４）が上記不純物収納底空間部（Ａ）に開口する流入部（５）と、上記水槽本体（１）の外部に配設された注ぎ口部（６）と、上記水槽本体（１）の側壁（７）を突抜状であって上記流入部（５）と上記注ぎ口部（６）を連結する中間部（８）と、を有し、
かつ、上記中間部（８）の最高位置に空気抜き孔（９）を形成したことを特徴とする魚飼育用水槽。
【請求項３】
水槽本体（１）と、該水槽本体（１）内の水（Ｗ）を外部へ流出させるための排水パイプ（２）とを、備え、
上記排水パイプ（２）が、上記水槽本体（１）の底壁（10）に形成されるとともに上記水槽本体の（１）下部に不純物（Ｘ）が沈殿するように区画形成された不純物収納底空間部（Ａ）に開口する流入部（５）と、上記水槽本体（１）の外部の上記不純物収納底空間部（Ａ）よりも高い位置に開口する注ぎ口部（６）と、上記流入部（５）と上記注ぎ口部（６）を連結する中間部（８）とを、有し、
かつ、上記中間部（８）の最高位置に空気抜き孔（９）を形成したことを特徴とする魚飼育用水槽。
【請求項４】
上記注ぎ口部（６）の水槽設置面（Ｔ）からの高さ寸法（Ｈ）を28cm≦Ｈ≦32cmに設定して、ふたつの２リットルのペットボトル（Ｐ）を用いて、一のペットボトル（Ｐ）を上記水槽本体（１）への水供給側に用い、他のペットボトル（Ｐ）を上記注ぎ口部（６）から流出する水受け側に用いるように構成した請求項１，２又は３記載の魚飼育用水槽。
【考案の詳細な説明】
【技術分野】
【０００１】
本考案は、魚飼育用水槽に関する。
【背景技術】
【０００２】
従来、魚を飼育するために、上方開口状の水槽に水を入れて、魚を飼育していた。（例えば、特許文献１参照。）
【０００３】
しかし、魚の糞、汚れ、エサの残りなどの不純物によって汚れた水をきれにするためには、手動ポンプやバケツ等を用いて、水を入れ替えることが必要であり、多大な手間がかかった。すなわち、水替えが面倒だった。
【先行技術文献】
【特許文献】
【０００４】
【特許文献１】特開２００６−１０１７７６号公報
【考案の概要】
【考案が解決しようとする課題】
【０００５】
解決しようとする課題は、水の入れ替えに多大な手間がかかる点である。特に、手動ポンプやバケツ等を必要とする点である。
【課題を解決するための手段】
【０００６】
そこで、本考案に係る魚飼育用水槽は、水槽本体と、該水槽本体内の水を外部へ流出させるための排水パイプとを、備え、上記排水パイプが、上記水槽本体の下部に不純物が沈殿するように区画形成された不純物収納底空間部に下端が開口する流入部と、上記水槽本体の外部に配設された注ぎ口部と、上記水槽本体の側壁を突抜状であって上記流入部と上記注ぎ口部を連結する中間部と、を有し、かつ、上記中間部の最高位置に空気抜き孔を形成したものである。
【０００７】
また、水槽本体と、該水槽本体内の水を外部へ流出させるための排水パイプと、上記水槽本体の下部に配設されるとともに下側に不純物が沈殿する不純物収納底空間部を形成する不純物透過平面状部材とを、備え、上記排水パイプが、下端が上記不純物収納底空間部に開口する流入部と、上記水槽本体の外部に配設された注ぎ口部と、上記水槽本体の側壁を突抜状であって上記流入部と上記注ぎ口部を連結する中間部と、を有し、かつ、上記中間部の最高位置に空気抜き孔を形成したものである。
【０００８】
また、水槽本体と、該水槽本体内の水を外部へ流出させるための排水パイプとを、備え、上記排水パイプが、上記水槽本体の底壁に形成されるとともに上記水槽本体の下部に不純物が沈殿するように区画形成された不純物収納底空間部に開口する流入部と、上記水槽本体の外部の上記不純物収納底空間部よりも高い位置に開口する注ぎ口部と、上記流入部と上記注ぎ口部を連結する中間部とを、有し、かつ、上記中間部の最高位置に空気抜き孔を形成したものである。
【０００９】
また、上記注ぎ口部の水槽設置面からの高さ寸法Ｈを28cm≦Ｈ≦32cmに設定して、ふたつの２リットルのペットボトルを用いて、一のペットボトルを上記水槽本体への水供給側に用い、他のペットボトルを上記注ぎ口部から流出する水受け側に用いるように構成したものである。
【考案の効果】
【００１０】
本考案の魚飼育用水槽によれば、手動ポンプやバケツを用いることなく、容易に水の入れ替えを行うことができる。すなわち、手動ポンプやバケツが不要で、簡単にかつ迅速に水（の一部）を入れ替えることができる。特に、手を汚さずに、手軽に水の入れ替えを行なうことができる。
【図面の簡単な説明】
【００１１】
【図１】本考案の第１の実施の形態の使用状態を示す断面正面図である。
【図２】第２の実施の形態の使用を示す断面正面図である。
【考案を実施するための形態】
【００１２】
図１は、本考案の第１の実施の形態の使用状態を示す。この魚飼育用の水槽は、ふたつの２リットルのペットボトルＰを用いて、一のペットボトルＰ（Ｐ１ ）を水槽本体１への水供給側に用い、他のペットボトルＰ（Ｐ２ ）を注ぎ口部６から流出する水受け側に（注ぎ口部６の下へ差し込んで）用いるように構成されている。
【００１３】
水槽本体１と、水槽本体１内の水Ｗを外部へ流出させるための排水パイプ２とを、備える。水槽本体１の下部に配設されるとともに下側に不純物Ｘが沈殿する不純物収納底空間部Ａを形成する不純物透過平面状部材３を、備える。すなわち、不純物透過平面状部材３によって、水槽本体１の下部に不純物Ｘが沈殿するように、不純物収納底空間部Ａが区画形成されている。不純物透過平面状部材３は、水Ｗ及び不純物Ｘが透過可能であるとともに魚Ｆは通過不可の簀、パンチングボード、網体、格子体等から成る。
【００１４】
排水パイプ２が、不純物収納底空間部Ａに下端４が開口する流入部５と、水槽本体１の外部に配設された注ぎ口部６と、水槽本体１の側壁７を突抜状であって流入部５と注ぎ口部６を連結する中間部８と、を有する。中間部８の最高位置に空気抜き孔９が形成されている。
【００１５】
注ぎ口部６の水槽設置面Ｔからの高さ寸法Ｈが28cm≦Ｈ≦32cmに設定されている。高さ寸法ＨがＨ＜28cmの場合、ペットボトルＰを注ぎ口部６の下に置くことができない。高さ寸法Ｈが32cm＜Ｈの場合、注ぎ口部６とペットボトルＰの口部Ｐ０ との間が広過ぎて、流出した水ＷがペットボトルＰの外にこぼれる。
【００１６】
平衡状態とできる最高水位より上部空間（かつ水槽内部）の体積Ｖを、（ 2.0× 1.2）リットル≦Ｖ≦（ 2.0×２）リットルに設定する。好ましくは、（ 2.0× 1.5）リットル＝ 3.0リットルに設定する。体積ＶがＶ＜（ 2.0× 1.2）リットルの場合、２リットルのペットボトルＰ１ から水Ｗを勢いよく供給したときに水Ｗが水槽の上縁からあふれる虞れがある。また、体積Ｖが（ 2.0×２）リットル＜Ｖの場合、水槽の上部が無駄に大きく（高く）なり、大きな水槽の設置場所が必要となる。
【００１７】
次に、本考案の魚飼育用水槽を用いて水Ｗを入れ替える方法について説明する。一のペットボトルＰ１ から水槽本体１へきれいな水Ｗを供給すると、水槽本体１の下部に形成された不純物収納底空間部Ａから不純物Ｘを含んだ水Ｗが排水パイプ２内に押し出されて（あふれて）、排水パイプ２内を流れて注ぎ口部６から水槽外部へ流出する。この流出した水Ｗを他のペットボトルＰ２ で受ける。一旦水Ｗがあふれ始めると、その後供給した水Ｗと同量の水Ｗが排水パイプ２内に押出される。すなわち、動力は不要である。
【００１８】
図２は、本考案の第２の実施の形態の使用状態を示す。排水パイプ２が、水槽本体１の底壁10に形成されるとともに水槽本体１の下部に不純物Ｘが沈殿するように区画形成された不純物収納底空間部Ａに開口する流入部５と、水槽本体１の外部の不純物収納底空間部Ａよりも高い位置に開口する注ぎ口部６と、流入部５と上記注ぎ口部６を連結する中間部８とを、有する。その他の構成は、第１の実施の形態と同様である。
【００１９】
なお、空気抜き孔９を中間部８の最高位置に設けるが、「最高位置」とは、注ぎ口部６より高い位置であると定義する。
本考案は、設計変更可能であって、例えば、第１の実施の形態で、中間部８が側壁７を突抜ける（貫通する）高さ位置を、注ぎ口部６より低い位置としても良い。また、不純物透過平面状部材３の支持手段は、図示のものに限らず、例えば、側壁７に突片を固着して、この突片に不純物透過平面状部材３を載置させるも良い。
【００２０】
以上のように、本考案は、水槽本体１と、水槽本体１内の水Ｗを外部へ流出させるための排水パイプ２とを、備え、排水パイプ２が、水槽本体１の下部に不純物Ｘが沈殿するように区画形成された不純物収納底空間部Ａに下端４が開口する流入部５と、水槽本体１の外部に配設された注ぎ口部６と、水槽本体１の側壁７を突抜状であって流入部５と注ぎ口部６を連結する中間部８と、を有し、かつ、中間部８の最高位置に空気抜き孔９を形成したので、手動ポンプやバケツを用いることなく、容易に水Ｗの入れ替えを行うことができる。すなわち、手動ポンプやバケツが不要で、簡単にかつ迅速に水Ｗ（の一部）を入れ替えることができる。特に、手を汚さずに、手軽に水Ｗの入れ替えを行なうことができる。
【００２１】
また、水槽本体１と、水槽本体１内の水Ｗを外部へ流出させるための排水パイプ２と、水槽本体１の下部に配設されるとともに下側に不純物Ｘが沈殿する不純物収納底空間部Ａを形成する不純物透過平面状部材３とを、備え、排水パイプ２が、下端４が不純物収納底空間部Ａに開口する流入部５と、水槽本体１の外部に配設された注ぎ口部６と、水槽本体１の側壁７を突抜状であって流入部５と注ぎ口部６を連結する中間部８と、を有し、かつ、中間部８の最高位置に空気抜き孔９を形成したので、手動ポンプやバケツを用いることなく、容易に水Ｗの入れ替えを行うことができる。すなわち、手動ポンプやバケツが不要で、簡単にかつ迅速に水Ｗ（の一部）を入れ替えることができる。特に、手を汚さずに、手軽に水Ｗの入れ替えを行なうことができる。
【００２２】
また、水槽本体１と、水槽本体１内の水Ｗを外部へ流出させるための排水パイプ２とを、備え、排水パイプ２が、水槽本体１の底壁10に形成されるとともに水槽本体の１下部に不純物Ｘが沈殿するように区画形成された不純物収納底空間部Ａに開口する流入部５と、水槽本体１の外部の不純物収納底空間部Ａよりも高い位置に開口する注ぎ口部６と、流入部５と注ぎ口部６を連結する中間部８とを、有し、かつ、中間部８の最高位置に空気抜き孔９を形成したので、手動ポンプやバケツを用いることなく、容易に水Ｗの入れ替えを行うことができる。すなわち、手動ポンプやバケツが不要で、簡単にかつ迅速に水Ｗ（の一部）を入れ替えることができる。特に、手を汚さずに、手軽に水Ｗの入れ替えを行なうことができる。
【００２３】
また、注ぎ口部６の水槽設置面Ｔからの高さ寸法Ｈを28cm≦Ｈ≦32cmに設定して、ふたつの２リットルのペットボトルＰを用いて、一のペットボトルＰを水槽本体１への水供給側に用い、他のペットボトルＰを注ぎ口部６から流出する水受け側に用いるように構成したので、適切にペットボトルＰで注ぎ口部６から流出する水Ｗを受けることができる。
【符号の説明】
【００２４】
１  水槽本体
２  排水パイプ
３  不純物透過平面状部材
４  下端
５  流入部
６  注ぎ口部
７  側壁
８  中間部
９  空気抜き孔
10  底壁
Ａ  不純物収納底空間部
Ｈ  高さ寸法
Ｐ  ペットボトル
Ｔ  水槽設置面
Ｗ  水
Ｘ  不純物
【図１】
0003161936.tif 000003
【図２】
0003161936.tif 000004